(57)【要約】【課題】既に一度小領域単位で符号化されて復元された画像を、別のサブバンド分割型の直交変換を利用した画像符号化方式へ変換を行う際に画質が劣化するという問題を解消する画像変換符号化装置を提供することである。【解決手段】ブロック歪みを有する入力画像１ａは、サブバンド分割型直交変換処理部１１でサブバンド分割型の直交変換がされて直交変換係数１ｂとなり、直交変換係数補正処理部１２で入力画像に付加されたブロック歪を取り除くような補正が施され、補正された直交変換係数１ｃとなる。その後、直交変換係数符号化処理部１３で符号化処理が行われ、符号化画像信号１ｄを得る。前記ブロック歪みを取り除く補正は、前記入力画像の歪具合および期待する画質の改善度合いに応じて、直交変換係数の補正量、位置と個数、及び／または補正の対象となるサブバンドに対して行われる。【選択図】　　　　図１
2004104336.tif 000002
【特許請求の範囲】
【請求項１】
入力画像にサブバンド分割型の直交変換を行って、直交変換係数を得るための手段と、
前記直交変換係数のうちの特定の直交変換係数を補正する手段と、
補正された直交変換係数を符号化し、符号化画像信号を作成する手段とを具備したことを特徴とする画像変換符号化装置。
【請求項２】
前記請求項１に記載の画像変換符号化装置において、
前記特定の直交変換係数を補正する手段は、前記入力画像の歪具合および期待する画質の改善度合いに応じて、直交変換係数の補正量Ｒ（ただし、０≦Ｒ≦１）を設定することを特徴とする画像変換符号化装置。
【請求項３】
前記請求項２に記載の画像変換符号化装置において、
前記直交変換係数が予め定められた値（制約条件しきい値）以下の時には、前記補正を行わないようにすることを特徴とする画像変換符号化装置。
【請求項４】
前記請求項１に記載の画像変換符号化装置において、
前記特定の直交変換係数を補正する手段は、前記入力画像の歪具合および期待する画質の改善度合いに応じて補正の対象となる直交変換係数の位置と個数を設定することを特徴とする画像変換符号化装置。
【請求項５】
前記請求項１に記載の画像変換符号化装置において、
前記特定の直交変換係数を補正する手段は、前記入力画像の歪具合および期待する画質の改善度合いに応じて補正の対象となるサブバンドを設定することを特徴とする画像変換符号化装置。
【請求項６】
前記請求項５に記載の画像変換符号化装置において、
前記特定の直交変換係数を補正する手段は、補正の対象となる直交変換係数を１ＨＬ、１ＬＨおよび１ＨＨサブバンドに属する直交変換係数に限定することを特徴とする画像変換符号化装置。
【請求項７】
前記請求項１ないし６のいずれかに記載の画像変換符号化装置で作成した符号化画像信号を、直交変換係数まで復元する手段と、
該直交変換係数にサブバンド統合型の逆直交変換を行う手段とを具備したことを特徴とする変換画像復号装置。
【請求項８】
入力画像にサブバンド分割型の直交変換を行って、直交変換係数を得るための手段と、
前記直交変換係数のうちの特定の直交変換係数を補正する手段と、
前記直交変換係数にサブバンド統合型の逆直交変換を行う手段とを具備したことを特徴とする画像処理装置。
【請求項９】
前記請求項８に記載の画像処理装置において、
前記特定の直交変換係数を補正する手段は、前記入力画像の歪具合および期待する画質の改善度合いに応じて、直交変換係数の補正量Ｒ（ただし、０≦Ｒ≦１）を設定することを特徴とする画像処理装置。
【請求項１０】
前記請求項９に記載の画像処理装置において、
前記直交変換係数が予め定められた値（制約条件しきい値）以下の時には、前記補正を行わないようにすることを特徴とする画像処理装置。
【請求項１１】
前記請求項８に記載の画像処理装置において、
前記特定の直交変換係数を補正する手段は、前記入力画像の歪具合および期待する画質の改善度合いに応じて補正の対象となる直交変換係数の位置と個数を設定することを特徴とする画像処理装置。
【請求項１２】
前記請求項８に記載の画像処理装置において、
前記特定の直交変換係数を補正する手段は、前記入力画像の歪具合および期待する画質の改善度合いに応じて補正の対象となるサブバンドを設定することを特徴とする画像処理装置。
【請求項１３】
前記請求項１２に記載の画像処理装置において、
前記特定の直交変換係数を補正する手段は、補正の対象となる直交変換係数を１ＨＬ、１ＬＨおよび１ＨＨサブバンドに属する直交変換係数に限定することを特徴とする画像処理装置。
【発明の詳細な説明】
【０００１】
【発明の属する技術分野】
本発明は、既に一度小領域単位で直交変換および符号化処理されて復元された画像を、別のサブバンド分割型の直交変換を利用した画像符号化方式へ、変換時に生じる画質の劣化を抑えて変換するための画像変換符号化装置、および前記既に一度小領域単位で直交変換および符号化処理されて復元された画像に付加された歪み等の画質の劣化を抑えて画像品質の改善を行う画像処理装置に関する。また、前記画像変換符号化装置に対する変換画像復号装置に関する。
【０００２】
【従来の技術】
現在幅広い分野で広く使われている画像符号化の一つであるＪＰＥＧでは、直交変換としてＤＣＴ（Ｄｉｓｃｒｅｔｅ　Ｃｏｓｉｎｅ　Ｔｒａｎｓｆｏｒｍａｔｉｏｎ：離散コサイン変換）が使用されている。現在Ｗｅｂやディジタルカメラを代表とする幅広い分野において、画像圧縮に用いられる符号化方式としては、ＪＰＥＧが一般的であり、過去に蓄積されたＪＰＥＧ画像は膨大な数である。ＪＰＥＧでは、直交変換としてＤＣＴ（Ｄｉｓｃｒｅｔｅ　Ｃｏｓｉｎｅ　Ｔｒａｎｓｆｏｒｍａｔｉｏｎ：離散コサイン変換）が使用されており、ＤＣＴを８×８サイズの小領域単位で行って、分割処理により処理量を低減している。
【０００３】
一方、サブバンド分割型の直交変換であるウェーブレット変換を利用した新しい静止画像の符号化方式として、ＪＰＥＧ２０００が２００１年の１月に標準化された。ＪＰＥＧ２０００はＪＰＥＧを約２倍上回る圧縮率を達成することから、近い将来、ディジタル画像を取り扱う全ての分野において、幅広く普及することが予想される。
【０００４】
そのため、既にＪＰＥＧのように小領域単位で直交変換および符号化処理された画像を、ＪＰＥＧ２０００のようなサブバンド分割型の直交変換を利用した画像符号化方式で変換して再利用するケースが今後増えると考えられる。ＪＰＥＧ画像からＪＰＥＧ２０００画像への変換を行うためには、ＪＰＥＧ符号化画像信号を一度復号し、ＪＰＥＧ２０００の符号化装置で再符号化する方法が一般的である。
【０００５】
【発明が解決しようとする課題】
しかしながら、画像変換に特化されていない従来のＪＰＥＧ２０００符号化装置でＪＰＥＧ画像を再度符号化した場合、再符号化する前のＪＰＥＧ画像より０．５〜１．０ｄＢ程度画質が劣化してしまうという課題があった。その原因は符号化処理方式の違いによるものであり、ＪＰＥＧ画像をＪＰＥＧ２０００で再圧縮した際に画質が劣化する原因の一つとして、ＪＰＥＧのブロック歪がＪＰＥＧ２０００のウェーブレット係数に与える影響を挙げることができる。
【０００６】
また、ＪＰＥＧのように小領域単位で直交変換および符号化処理されて復元された画像には、前記したように、ブロック歪みが付加されており、画質の点で課題があった。
【０００７】
なお、本発明に関連する先行技術として、社団法人映像情報メディア学会、２００２年８月、ＣＤ−ＲＯＭ発行の映像情報メディア学会２００２年年次大会講演予稿集、講演番号１−２の「符号化画像ＪＰＥＧ２０００の再圧縮特性に関する検討」がある。この先行技術には、ＪＰＥＧ画像をＪＰＥＧ２０００で再圧縮すると、ＰＳＮＲが０．５〜１ｄＢ程度劣化すること、その理由としてＪＰＥＧのブロック歪みの影響が大きいことが記されている。
【０００８】
本発明は前記した従来技術の問題点を解決するためになされたものであり、その目的は、既に一度小領域単位で符号化されて復元された画像を、別のサブバンド分割型の直交変換を利用した画像符号化方式へ変換を行う際に画質が劣化するという問題を解消する画像変換符号化装置および変換画像復号を提供することにある。
【０００９】
また、他の目的は、変換前の画像に付加されたブロック歪を、前記画像変換符号化装置で使用したのと同じ原理を用いて低減するための画像処理装置を提供することにある。
【００１０】
【課題を解決するための手段】
前述した目的を達成するため、本発明は、入力画像にサブバンド分割型の直交変換を行って、直交変換係数を得るための手段と、前記直交変換係数のうちの特定の直交変換係数を補正する手段と、補正された直交変換係数を符号化し、符号化画像信号を作成する手段とを具備した点に第１の特徴がある。この特徴によれば、変換を行う際に画質が劣化するという問題を解消することができる。
【００１１】
また、本発明は、前記特定の直交変換係数を補正する手段は、前記入力画像の歪具合および期待する画質の改善度合いに応じて、直交変換係数の補正量Ｒ（ただし、０≦Ｒ≦１）を設定する点に第２の特徴がある。また、本発明は、前記入力画像の歪具合および期待する画質の改善度合いに応じて補正の対象となる直交変換係数の位置と個数を設定する点に第３の特徴がある。また、本発明は、前記入力画像の歪具合および期待する画質の改善度合いに応じて補正の対象となるサブバンドを設定する点に第４の特徴がある。
【００１２】
これらの第２〜４の特徴によれば、それぞれ、変換前の入力画像に付加されたブロック歪を、その歪具合および期待する画質の改善度合いに応じて低減することができる。
【００１３】
また、本発明は、前記特徴１ないし４のいずれかを有する画像変換符号化装置で作成した符号化画像信号を、直交変換係数まで復元する手段と、該直交変換係数にサブバンド統合型の逆直交変換を行う手段とを具備した点に第５の特徴がある。この特徴によれば、変換前の画像に付加されたブロック歪を低減した画像を復元することができる。
【００１４】
さらに、本発明は、入力画像にサブバンド分割型の直交変換を行って、直交変換係数を得るための手段と、前記直交変換係数のうちの特定の直交変換係数を補正する手段と、前記直交変換係数にサブバンド統合型の逆直交変換を行う手段とを具備した点に第６の特徴がある。この特徴によれば、画像に付加されたブロック歪を低減する画像処理装置を提供することができる。
【００１５】
【発明の実施の形態】
以下に、図面を参照して本発明を詳細に説明する。図１は本発明の一実施形態の画像変換符号化装置の構成を示すブロック図である。
【００１６】
入力画像１ａは、ＪＰＥＧのように小領域単位で直交変換および符号化処理されて復元された画像であり、ブロック歪みを有している。このような入力画像１ａは、サブバンド分割型直交変換処理部１１でサブバンド分割型の直交変換がされて直交変換係数１ｂとなり、直交変換係数補正処理部１２で入力画像に付加されたブロック歪を取り除くような補正が施され、補正された直交変換係数１ｃを得る。その後、直交変換係数符号化処理部１３で符号化処理が行われ、符号化画像信号１ｄを得る。
【００１７】
また、図２は、図１の画像変換符号化装置で符号化された符号化画像信号１ｄを復号する変換画像復号装置の構成を示すブロック図である。入力符号化画像信号１ｄは、符号化画像信号復号処理部２１で直交変換係数２ｂへ復号処理が行われ、サブバンド統合型逆直交変換処理部２２でサブバンド統合型の逆直交変換が行われ、ブロック歪みを低減された画像２ｃを得る。
【００１８】
次に、本発明の第２実施形態の画像処理装置の構成を、図３のブロック図で示す。入力画像３ａは、ＪＰＥＧのように小領域単位で直交変換および符号化処理されて復元された画像であり、ブロック歪みを有している。該入力画像３ａは、サブバンド分割型直交変換処理部３１でサブバンド分割型の直交変換がされて直交変換係数３ｂとなり、直交変換係数補正処理部３２で入力画像に付加されたブロック歪を取り除くような補正が施され、補正された直交変換係数３ｃを得る。その後、サブバンド統合型逆直交変換処理部３３でサブバンド統合型の逆直交変換が行われ、ブロック歪が低減された画像３ｄを得る。
【００１９】
前記した第１、第２実施形態において、前記直交変換係数補正処理部１２，３２以外の各処理部は既知の構成であるため、詳細な説明は省略し、ここでは図１および図３の直交変換係数補正処理部１２，３２のみを以下で詳細に説明する。
【００２０】
ここでは説明の都合上、まず小域単位で直交変換および符号化処理されて復元された画像の一例として、ＪＰＥＧ画像を扱うこととする。その後、小域単位で直交変換および符号化処理されて復元された画像を対象とした一般化を行う。従って、小域単位で直交変換および符号化処理されて復元された画像であれば、本発明の画像変換符号化装置および画像処理装置に問題なく適用することができる。
【００２１】
ＪＰＥＧでは８×８のブロックでＤＣＴを行って、その後、量子化や算術符号化などの符号化処理が行われるため、隣接するブロック間の情報を考慮していないことを原因とした視認性のブロック歪が生じる。
【００２２】
ＪＰＥＧ画像はブロック間の境界において、輝度値が急激に変化しているため、このようなＪＰＥＧ画像にサブバンド分割型の直交変換を行うと、ブロック歪がエッジ成分と同じ様な作用を引き起こすため、Ｈ成分としてインパルス状で絶対値が非常に大きな直交変換係数が生じる。また、隣接するブロックの輝度の差が大きいほどその絶対値が大きくなる。
【００２３】
このブロック歪の影響を受けた直交変換係数は決まった係数位置に発生する。ＪＰＥＧ画像は８画素周期でステップ状に輝度変化しているとモデル化できるため、１次元のサブバンド分割型直交変換を適用した場合、図４に示すように、Ｈ成分としてブロック歪の影響を受けた直交変換係数が４周期間隔で発生する。
【００２４】
またＪＰＥＧ画像にラインベースの２次元サブバンド分割型直交変換を適用する場合、１回目の分割で生成される１ＨＬ、１ＬＨおよび１ＨＨの３つのサブバンドには、図５の斜線を付けられた位置に、インパルス状で絶対値が非常に大きな直交変換係数が生じる。すなわち、１ＨＬサブバンドでは縦方向に、１ＬＨサブバンドでは横方向に、１ＨＨサブバンドでは縦横両方向に、インパルス状の信号が４周期間隔で発生する。
【００２５】
したがって、前記直交変換係数補正処理部１２，３２は、このブロック歪を原因として生じる直交変換係数を補正することで、元の入力画像に付加されたブロック歪を取り除く。
【００２６】
議論を一般化するために、入力する画像が縦にＮ、横にＭのＮ×Ｍ（ただし、Ｎ，Ｍは正の整数）の大きさを持った小領域単位で直交変換され符号化された画像であった場合を考える。このとき、入力画像で発生しているブロック歪によるサブバンド分割型直交変換係数への影響として、１ＨＬ、１ＬＨおよび１ＨＨの３つのサブバンドには、縦にＮ／２周期間隔で発生し、横にＭ／２周期でインパルス状の信号が付加された直交変換係数が発生することになる。
【００２７】
以下に、前記直交変換係数補正処理部１２，３２の補正方法について、次の３つの論点を明確にしながら説明する。
（１）直交変換係数の補正方法および補正量について、
（２）補正対象となる直交変換係数の位置と個数について、
（３）補正対象となるサブバンドについて、
これらの補正操作により、元の入力画像に付加されたブロック歪を取り除くことができる。
【００２８】
（１）直交変換係数の補正方法および補正量について、
まず、直交変換係数の補正方法および補正量について考える。位置（ｘ，　ｙ）にある直交変換係数ｗ（ｘ，　ｙ）に下式のような補正を行い、ｗ’（ｘ，　ｙ）　に置き換える。
ｗ’（ｘ，　ｙ）＝Ｒｗ（ｘ，　ｙ）　　　（ただし、０≦Ｒ≦１）
ただし、Ｒは補正度合いを操作するためのパラメータであり、入力画像の歪具合および期待する画質の改善度合いに応じて任意に指定することができる。補正度合いＲの値は小さいほど補正の度合いが高く、ブロック歪の低減度合いも高いことを示し、Ｒ＝１のときは補正を行わないことを意味する。
【００２９】
ただし、ブロック歪の影響を受けていると考えられる位置にある係数でも、その絶対値が０に近い微小な値を持つ係数は、ブロック歪の影響を受けていない可能性が高いと考えられるため、そのような係数に対しては上述の補正処理を行わないようにする。
【００３０】
すなわち、制約条件しきい値Ｓを設定して、ｗ（ｘ，　ｙ）の絶対値｜ｗ（ｘ，　ｙ）｜がＳ（例えば、Ｓ＝２）よりも小さい場合は、補正処理を行わない（Ｒ＝１）ような制約条件を加える。Ｓ＝∞に設定した場合は、該制約条件を設定しないことを意味する。この制約条件Ｓにより、本来重要な画像信号を損なうことなくブロック歪を低減できる。
【００３１】
以上のように、ブロック歪を低減するため、補正度合いＲと制約条件Ｓを使って、直交変換係数の補正量を決定する。
【００３２】
（２）補正対象となる直交変換係数の位置と個数について、
次に、補正対象となる直交変換係数の位置と個数について考える。補正対象となる直交変換係数の位置と個数は増やせば増やすほど、ブロック歪が改善されるというものではなく、入力画像の歪具合および期待する画質の改善度合いに応じて補正の対象となる直交変換係数の位置と個数を設定する。
【００３３】
ここでは、補正を行う直交変換係数の位置について、また補正を行う直交変換係数の優先順序について示す。入力画像がＮ×Ｍの小領域単位で直交変換され符号化された画像である場合を仮定して、図６に（ｌｅｖ）ＨＬサブバンドにおける直交変換係数の補正位置第一候補を、図７に（ｌｅｖ）ＨＬサブバンドにおける直交変換係数の補正位置第二候補を、図８に（ｌｅｖ）ＬＨサブバンドにおける直交変換係数の補正位置第一候補を、図９に（ｌｅｖ）ＬＨサブバンドにおける直交変換係数の補正位置第二候補を、図１０に（ｌｅｖ）ＨＨサブバンドにおける直交変換係数の補正位置第一候補を、図１１に（ｌｅｖ）ＨＨサブバンドにおける直交変換係数の補正位置第二候補を、それぞれ斜線で示す。
【００３４】
ただし、ｌｅｖは分解レベルを表す。例えば、１回目のウェーブレット変換では高周波成分として１ＨＬ、１ＬＨおよび１ＨＨの３つのサブバンドが作成され、２回目のウェーブレット変換では高周波成分として２ＨＬ、２ＬＨおよび２ＨＨの３つのサブバンドが作成される。
【００３５】
入力画像がＮ×Ｍの小領域単位で直交変換され符号化された画像である場合、（ｌｅｖ）ＨＬ、（ｌｅｖ）ＬＨおよび（ｌｅｖ）ＨＨの３つのサブバンドには、それぞれ２のｌｅｖ乗に縮小された縦Ｎ／２ｌｅｖおよび　横Ｍ／２ｌｅｖの周期で、歪の影響が付加された直交変換係数が現れる。今、ｐ＝　Ｎ／２ｌｅｖ、ｑ＝　Ｍ／２ｌｅｖとすると、小領域（Ｎ／２ｌｅｖ）×（Ｍ／２ｌｅｖ）の中で、補正を行う直交変換係数の位置は次のように表せる。すなわち、（ｌｅｖ）ＨＬおよび（ｌｅｖ）ＨＨサブバンドにおいて、第一候補としてｘ＝ｐ−１となる位置（ｘ，　ｙ）にある直交変換係数ｗ（ｘ，　ｙ）、第二候補としてｘ＝０となる位置（ｘ，　ｙ）にある直交変換係数ｗ（ｘ，　ｙ）に補正を行う（図６，７，１０，１１参照）。また、（ｌｅｖ）　ＬＨおよび（ｌｅｖ）ＨＨサブバンドにおいて、第一候補としてｙ＝ｑ−１となる位置（ｘ，　ｙ）にある直交変換係数ｗ（ｘ，　ｙ）、第二候補としてｙ＝０となる位置（ｘ，　ｙ）にある直交変換係数ｗ（ｘ，　ｙ）に補正を行う（図８，９，１０，１１参照）。
例えば、８×８単位で直交変換され符号化処理されたＪＰＥＧ画像の場合、１ＨＬサブバンドでは、ｘ＝３となる位置（ｘ，　ｙ）の直交変換係数ｗ（ｘ，　ｙ）が補正の第一候補となり、ｘ＝０となる位置（ｘ，　ｙ）の直交変換係数ｗ（ｘ，　ｙ）が補正の第二候補となる。１ＬＨサブバンドでは、ｙ＝３となる位置（ｘ，　ｙ）の直交変換係数ｗ（ｘ，　ｙ）が補正の第一候補となり、ｙ＝０となる位置（ｘ，　ｙ）の直交変換係数ｗ（ｘ，　ｙ）が補正の第二候補となる。１ＨＨサブバンドでは、ｘ＝３またはｙ＝３となる位置（ｘ，　ｙ）の直交変換係数ｗ（ｘ，　ｙ）が補正の第一候補となり、ｘ＝０またはｙ＝０となる位置（ｘ，　ｙ）の直交変換係数ｗ（ｘ，　ｙ）が補正の第二候補となる。
【００３６】
ブロック歪の影響を多大に受けた直交変換係数が補正対象となるため、第一候補、第二候補共に、ブロックの境界の最近隣に位置する直交変換係数とする。それぞれのサブバンドにおいて、第三候補以降も考えることができ、ブロックの境界から離れた位置の係数ほど候補となる優先度は低くなる順番で補正を行うこともできる。
【００３７】
（３）補正対象となるサブバンドについて、
最後に、補正対象となるサブバンドについて考える。入力画像の歪具合および期待する画質の改善度合いに応じて補正の対象となるサブバンドを設定する。ブロック歪の影響が最も強く現れるのは、１ＨＬ、１ＬＨおよび１ＨＨの３つのサブバンドであり、この３つのサブバンドに限定して、直交変換係数の補正を行うことが有効である。
【００３８】
しかし、元の入力画像に大きくブロック歪が発生している場合は、１ＨＬ、１ＬＨおよび１ＨＨの３つのサブバンドだけでなく、２ＨＬ、２ＬＨおよび２ＨＨの３つのサブバンドを補正の対象として、さらに、それよりも上位のサブバンドを補正の対象とし、より多くの歪の影響を取り除ける可能性がある。
【００３９】
入力する画像が縦にＮ、横にＭのＮ×Ｍの大きさを持った小領域単位で直交変換され符号化された画像であった場合、（ｌｅｖ）ＨＬ、（ｌｅｖ）ＬＨおよび（ｌｅｖ）ＨＨの３つのサブバンドでは、入力画像で発生しているブロック歪によるサブバンド分割型直交変換係数への影響として、縦にＮ／２ｌｅｖ周期間隔で発生し、横にＭ／２ｌｅｖ周期でインパルス状の信号が付加された直交変換係数が発生することになる。
【００４０】
したがって、本発明の直交変換係数補正処理部１２，３２では、これらのブロック歪を原因として生じる直交変換係数を補正することで、元の入力画像に付加されたブロック歪を取り除く。
【００４１】
また、本発明の前記直交変換係数補正処理部１２，３２では、補正を行うサブバンドとして、１ＨＬ、１ＬＨおよび１ＨＨの３つのサブバンド全てを対象とするのではなく、水平方向のブロック歪だけ低減させたい場合は、１ＨＬおよび１ＨＨだけ補正対処に選択する。すなわち、場面に合わせて補正対象となるサブバンドを設定する。また、入力画像の歪具合および期待する画質の改善度合いに応じて補正の対象とするサブバンドを任意に設定することができる。
【００４２】
次に、入力画像としてＪＰＥＧに特化した本発明の具体的使用例を、図５を参照して説明する。
【００４３】
補正対象とするサブバンドは１ＨＬ、１ＬＨおよび１ＨＨとする。補正を行う直交変換係数は第一候補だけとする。すなわち、１ＨＬおよび１ＨＨサブバンドではｘ＝３の位置（ｘ，　ｙ）にある直交変換係数ｗ（ｘ，　ｙ）を補正する。１ＬＨおよび１ＨＨサブバンドではｙ＝３の位置（ｘ，　ｙ）にある直交変換係数ｗ（ｘ，　ｙ）を補正する。該補正は、補正量パラメータＲ、Ｓを設定して行う。
【００４４】
例えば、Ｒ＝１７／２０、Ｓ＝２と設定してこの補正操作を行ったところ、この操作を行わない従来法による再符号化画像の特性よりも０．１ｄＢ程度、再符号化画像の画質が改善された。
【００４５】
【発明の効果】
以上の説明から明らかなように、請求項１の発明によれば、既に一度小領域単位で符号化されて復元された画像を、別のサブバンド分割型の直交変換を利用した画像符号化方式へ、変換時に生じる画質の劣化を抑えて変換することができるようになる。
【００４６】
また、請求項２ないし６のいずれかに記載の発明によれば、それぞれ、変換前の入力画像に付加された歪み例えばブロック歪みを、その歪具合および期待する画質の改善度合いに応じて低減することができるようになる。
【００４７】
また、請求項７の発明によれば、その符号化画像信号を復号し、かつ小領域ブロック歪を低減した画像を得ることができるようになる。
【００４８】
さらに、請求項８の発明によれば、入力画像に付加された歪み例えばブロック歪みを低減した画像を、直接得ることができるようになる。
【００４９】
また、請求項９ないし１３のいずれかに記載の発明によれば、それぞれ、入力画像に付加された歪み例えばブロック歪みを、その歪具合および期待する画質の改善度合いに応じて低減することができるようになる。
【００５０】
また、前記請求項１ないし７の発明により、例えば、小領域単位で直交変換符号化された符号化画像信号の一例として挙げられるＪＰＥＧ画像を、サブバンド分割型の直交変換を利用した符号化方式の一例であるＪＰＥＧ２０００で符号化および復号する際に発生する、ブロック歪を低減することができる。
【図面の簡単な説明】
【図１】本発明の第１実施形態の画像変換符号化装置のブロック図である。
【図２】図１の画像変換符号化装置に対応する変換画像復号装置のブロック図である。
【図３】本発明の第２実施形態の画像処理装置のブロック図である。
【図４】ブロック歪が与える１次元サブバンド分割型直交変換係数への影響を示す説明図である。
【図５】ブロック歪が与える２次元サブバンド分割型直交変換係数への影響を示す説明図、およびＪＰＥＧ画像に特化した本発明の適用例を示す図である。
【図６】（ｌｅｖ）ＨＬサブバンドにおける直交変換係数の補正位置第一候補を示す図である。
【図７】（ｌｅｖ）ＨＬサブバンドにおける直交変換係数の補正位置第二候補を示す図である。
【図８】（ｌｅｖ）ＬＨサブバンドにおける直交変換係数の補正位置第一候補を示す図である。
【図９】（ｌｅｖ）ＬＨサブバンドにおける直交変換係数の補正位置第二候補を示す図である。
【図１０】（ｌｅｖ）ＨＨサブバンドにおける直交変換係の数補正位置第一候補を示す図である。
【図１１】（ｌｅｖ）ＨＨサブバンドにおける直交変換係の数補正位置第二候補を示す図である。
【符号の説明】
１１、３１・・・サブバンド分割型直交変換処理部、１２、３２・・・直交変換係数補正処理部、１３・・・直交変換係数符号化処理部、２１・・・符号化画像信号復号処理部、２２、３３・・・サブバンド統合型逆直交変換処理部。
【図１】
2004104336.tif 000003
【図２】
2004104336.tif 000004
【図３】
2004104336.tif 000005
【図４】
2004104336.tif 000006
【図５】
2004104336.tif 000007
【図６】
2004104336.tif 000008
【図７】
2004104336.tif 000009
【図８】
2004104336.tif 000010
【図９】
2004104336.tif 000011
【図１０】
2004104336.tif 000012
【図１１】
2004104336.tif 000013